【手続補正書】
【提出日】平成16年10月14日(2004.10.14)
【手続補正１】
【補正対象書類名】明細書
【補正対象項目名】全文
【補正方法】変更
【補正の内容】
【書類名】  明細書
【発明の名称】  電気掃除機
【特許請求の範囲】
【請求項１】  外周部に断面形状が略半円形の凹部を有する車輪体と、前記凹部に嵌合させ断面形状が略円形の中空タイヤを備え、前記車輪体と前記中空タイヤから構成する車輪を有する電気掃除機において、前記凹部の直径を前記中空タイヤの中心径よりも大きくした電気掃除機。
【請求項２】  略半円形の凹部の中心部に前記凹部に連通する溝部を設け、両先端部を前記溝部に挿入し凹部に保持固定して、断面形状が略円形の中空タイヤを形成する請求項１記載の電気掃除機。
【請求項３】  中空タイヤを形成するタイヤ部材は、略円弧部の両端にフランジ部を有する形状からなる請求項２記載の電気掃除機。
【請求項４】  略円弧部の中空部を形成する方向に、一体成型された複数の突起を設けた請求項２または３に記載の電気掃除機。
【請求項５】  中空タイヤを形成するタイヤ部材は、２つの略円弧部の両端にフランジ部を有する部材の略円弧部どうしを互いにさらに大きな略円弧部で連結した形状からなり、前記部材を凹部に保持固定して中空タイヤを形成したとき、前記大きな略円弧部で車輪体の反掃除機本体側を覆う請求項１または２記載の電気掃除機。
【請求項６】  タイヤ部材の両端部を中空部を形成する方向に回り込ませ、互いに当接させ、かつ前記両端部を前記タイヤ部材の内面に当接させた請求項１記載の電気掃除機。
【請求項７】  外周部に断面形状が略半円形の凹部を有する車輪体と、前記凹部に嵌合させるタイヤを備え、前記車輪体と前記タイヤから構成する車輪を有する電気掃除機において、前記タイヤは、前記凹部に接合する接合面と前記接合面から外側に向かって放射状に突出する無数の突起体からなる電気掃除機。
【発明の詳細な説明】
【０００１】
【発明の属する技術分野】
本発明は、電気掃除機の走行用車輪に関するものである。
【０００２】
【従来の技術】
従来の電気掃除機を、図１２〜１３を用いて説明する。
【０００３】
図において、１０１は電動送風機を備えた掃除機本体であり、本体の両側面には進行方向と交差する軸部１０２を有している。１０６は軸部１０２と回動自在となり、本体１０１に軸方向に固定する爪を兼ね備えた車輪軸１０４を有した車輪体で、車輪体１０６の外周面には、断面中空となるタイヤ１０７を備えたものであったり、中空部にウレタン等の緩衝材を設けたものであった。タイヤ１０７はその一部が車輪体１０６の外周に設けた凹部１０８で保持された構成である。
【０００４】
上記構成において、本体１０１に内蔵された電動送風機１０９からの振動伝達を抑制し、振動音を吸収することができるとともに、掃除機本体１０１を引き回したときに発生する床面への傷つきについても低減することができるものである。
【０００５】
【発明が解決しようとする課題】
しかしながら、上記従来の電気掃除機にあっては、電気掃除機本体１０１の重みによるタイヤ１０７自体の変形量が大きく、車輪体１０６の外側にタイヤ１０７がはみ出してしまい、本体１０１と接触し回転に支障をきたしたり、タイヤ１０７が永久変形し、まっすぐ走行できなくなったりすることがあった。
【０００６】
本発明は、以上のような従来の課題を解決しようとするものであって、走行性を向上させた電気掃除機を提供することを目的としている。
【０００７】
【課題を解決するための手段】
上記目的を達成するために本発明は、外周部に断面形状が略半円形の凹部を有する車輪体と、前記凹部に嵌合させ断面形状が略円形の中空タイヤを備え、前記車輪体と前記中空タイヤから構成する車輪を有する電気掃除機において、前記凹部の直径を前記中空タイヤの中心径よりも大きくしたもので、柔らかい中空タイヤの両側面は車輪体の凹部で規制することでタイヤの扁平率を小さく抑えることができ、振動吸収率も高く、また本体に接触し走行に支障をきたすこともなく床面に優しい車輪をもつ掃除機を提供することができる。
【０００８】
【発明の実施の形態】
本発明の請求項１記載の発明は、外周部に断面形状が略半円形の凹部を有する車輪体と、前記凹部に嵌合させ断面形状が略円形の中空タイヤを備え、前記車輪体と前記中空タイヤから構成する車輪を有する電気掃除機において、前記凹部の直径を前記中空タイヤの中心径よりも大きくしたもので、柔らかい中空タイヤの両側面は車輪体の凹部で規制することでタイヤの扁平率を小さく抑えることができ、振動吸収率も高く、また本体に接触し走行に支障をきたすこともなく床面に優しい車輪をもつ掃除機を提供することができる。
【０００９】
本発明の請求項２記載の発明は、略半円形の凹部の中心部に前記凹部に連通する溝部を設け、両先端部を前記溝部に挿入し凹部に保持固定して、断面形状が略円形の中空タイヤを形成するもので、タイヤ部の形成を容易にすることができるとともに、組み立て易くすることができるものである。
【００１０】
本発明の請求項３記載の発明は、中空タイヤを形成するタイヤ部材は、略円弧部の両端にフランジ部を有する形状からなるもので、タイヤ部の形成を容易にすることができるとともに、組み立て易くすることができるものである。
【００１１】
本発明の請求項４記載の発明は、略円弧部の中空部を形成する方向に、一体成型された複数の突起を設けたもので、タイヤ内部に支柱を設けることで変形しにくいタイヤとすることができる。
【００１２】
本発明の請求項５記載の発明は、中空タイヤを形成するタイヤ部材は、２つの略円弧部の両端にフランジ部を有する部材の略円弧部どうしを互いにさらに大きな略円弧部で連結した形状からなり、前記部材を凹部に保持固定して中空タイヤを形成したとき、前記大きな略円弧部で車輪体の反掃除機本体側を覆うもので、外輪をタイヤ部で覆うように、前記円弧部を外輪よりも大きな面でつないだことで、車輪全体を柔らかいタイヤ部で覆うことができ、走行中に本体側面が壁等に接触しても壁への傷つけを防止することができるものである。
【００１３】
本発明の請求項６記載の発明は、タイヤ部材の両端部を中空部を形成する方向に回り込ませ、互いに当接させ、かつ前記両端部を前記タイヤ部材の内面に当接させたもので、タイヤ内部に支柱を設けることで変形しにくいタイヤとすることができるとともに、タイヤの端部を利用することで成型の向上を図ることができる。
【００１４】
本発明の請求項７記載の発明は、外周部に断面形状が略半円形の凹部を有する車輪体と、前記凹部に嵌合させるタイヤを備え、前記車輪体と前記タイヤから構成する車輪を有する電気掃除機において、前記タイヤは、前記凹部に接合する接合面と前記接合面から外側に向かって放射状に突出する無数の突起体からなるもので、回転性の向上を図ることができるのもである。
【００１５】
【実施例】
（実施例１）
本発明の第１の実施例を、図１〜３を用いて説明する。
【００１６】
図において、１は前部に集塵室２、後部に電動送風機室３を内蔵した掃除機本体である。この集塵室２内には集塵袋４を取り付け、その上部開口部には集塵室蓋５にて開閉自在に覆われている。電動送風機室３内には集塵室２内に塵埃を吸引するための電動送風機６を配し、具体的には、掃除機本体１を構成する下ケース７と上ケース８とで挟持し固定している。９は電動送風機室の後部に設けた排気口９であり、上ケース８に形成されている。１０は本体走行用の車輪であり、車軸１１にて下ケース７に回動自在に保持されている。
【００１７】
特に本発明の特徴である車輪１０の詳細構成について説明する。
【００１８】
図３に示すように、車輪１０は外周部に断面形状が略半円形の凹部１２をもつ外形が略円形状の車輪体１３と、凹部１２に嵌合させる断面形状が略円形の中空タイヤ２７とで構成し、車輪体１３の凹部１２の外形直径を中空タイヤ２７の中心径よりも大きく構成したものである。
【００１９】
上記構成による作用は、柔らかい中空タイヤ２７の両側面を車輪体１３の凹部１２で規制することでタイヤの扁平率を小さく抑えることができる。したがって、電動送風機６が発する振動や、走行時に生じる本体振動に対する吸収率も高く、中空タイヤ２７が本体内側に膨らみ、下ケース７に接触し走行に支障をきたすということもなくすことができるものである。
【００２０】
（実施例２）
次に本発明の第２の実施例を、図４、５に基づいて説明する。なお、上記第１の実施例と同一構成部品については同一符号を付してその説明を省略する。
【００２１】
本実施例の特徴は、車輪体１３は、内輪１８と外輪１７からなり、前記内輪１８と外輪１７を組み合わせることで、前記凹部１２と、前記凹部１２に連通しタイヤ部材１４の保持部となるフランジ部１５を保持固定する略Ｔ字状の溝部１６を形成し、さらに外輪１７にはその中心部に電気掃除機本体に取り付けるための車軸１１と、車軸１１の外側には内輪１８を取り付け固定するための複数の爪１９を形成している。一方の内輪１８には、前記外輪１７の爪１９にあわせた複数の穴２０からなるガイド面２１を設けている。
【００２２】
また、タイヤ部材１４は断面形状が略円弧状のタイヤ部２２と、その両サイドに外側に屈曲形成されたフランジ部１５とでなる円盤状のものである。
【００２３】
上記構成による作用は以下のものである。
【００２４】
外輪１７の溝部１６にタイヤ部材１４のフランジ部１５を装着し、次に内輪１８の溝部１６にもう一方のフランジ部１５を挿入した状態で、内輪１８を外輪１７の爪部１９にて固定する。これは、前記略円弧部２２が円になる様にフランジ部１５をつき合せた状態で前記車輪体１３の内外輪にて保持固定することができ、成型時に中空のタイヤを形成しなくても、組み立て後の形状において同様の形状にすることができるものであり、成形性の向上を図ることができるものである。
【００２５】
ここで、図６に示すように、タイヤ部材１４を形成する略円弧部２２に中空側へと無数の突起２３を設けると、略円弧部２２を丸めてタイヤを車輪体１３に取り付けた状態において、中空となるタイヤ部材１４の内側に支柱となる突起２３を形成することになり、中空タイヤ２７の扁平を防止するとともに、自重による経年変化に対しても効果を発揮することができる。
【００２６】
また、図７、８に示すように、タイヤ部材１４の略円弧部２２の外周を外輪１７よりも大きな円弧面２４でつなぎ、外輪１７をタイヤ部で覆うことにより、車輪１０全体を柔らかいタイヤ部材１４で覆うことができ、走行中に本体側面が壁等に接触しても壁への傷つけを防止することができる効果を得ることができる。
【００２７】
なお、ここでは外輪１７に車軸１３を設けた例を紹介したが、内輪１８側に設けてもタイヤ部のクッション性に対しては同様の効果が得られることは言うまでもないものとする。ただし、それぞれ特有の効果としては、外輪１７に車軸１３を設けた場合には、内輪１８を下ケース７と外輪１７でしっかりと挟持することができるため、衝撃に強い車輪１１を構成できるし、一方内輪１８に車軸１３を設けた場合には、タイヤの組み立てあるいは交換の際にいちいち車輪１１を本体１から外さなくても外輪１７を外すだけでタイヤ部材１４をつけかえることができ、メンテナンス性の向上を図ることができるのである。したがって、何を優先するかによって構成を選択すればよいものである。
【００２８】
（実施例３）
次に本発明の第３の実施例を、図９、１０に基づいて説明する。なお、上記第１、２の実施例と同一構成部品については同一符号を付してその説明を省略する。
【００２９】
本実施例の特徴は、図に示すように前記タイヤ部材１４の断面形状において、タイヤ部材１４の中央部が、タイヤ部材１４の中心に向かってへこむんだ谷形状で、その両サイドが山形状となる波形状２４として成型し、車軸１１に取り付ける際にタイヤ部材１４の内外を反転させることにより、両端部がタイヤ部材１４の内側に回り込み、互いに背面を当接した状態で車輪１０のラジアル方向へと張り出した形をつくることができる。この効果として、変形しにくい支柱入りのタイヤを容易に成型することができる。
【００３０】
（実施例４）
次に本発明の第４の実施例を、図１１に基づいて説明する。なお、上記第１、２、３の実施例と同一構成部品については同一符号を付してその説明を省略する。
【００３１】
本実施例の特徴は、図に示すようにタイヤ２８の断面形状を、略円形のタイヤ２８とし、この略円形形状を凹部に接合する接合面２５と、この接合面２５から外側に向かって放射状に突出する無数の突起体２６にて形成したものであり、この突起体２６が撓ることによって、本体の振動を吸収すると同時に床面への傷つき防止を図ることができるものであり、さらには、回転の際に本体１が傾きやすいことで回転性の向上を図ることができるのもである。
【００３２】
【発明の効果】
以上のように本発明によれば、走行性を向上させた電気掃除機を提供できる。また、人の視角に訴えるイメージとしても「ソフトそう」とか「柔らかそう」といった安心感をあたえることができるものである。
【図面の簡単な説明】
【図１】
本発明の第１の実施例を示す電気掃除機本体の断面図
【図２】
同車輪中央断面図
【図３】
同車輪部拡大断面図
【図４】
本発明の第２の実施例を示す車輪部拡大断面図
【図５】
同タイヤ部材の側面図
【図６】
同他のタイヤ部材の側面図
【図７】
同他のタイヤ部材の側面図
【図８】
同他の車輪部拡大断面図
【図９】
本発明の第３の実施例を示す同タイヤ部材の側面図
【図１０】
同車輪部拡大断面図
【図１１】
本発明の第３の実施例を示す車輪部拡大断面図
【図１２】
従来の掃除機本体の側面図
【図１３】
同車輪部拡大断面図
【符号の説明】
１０  車輪
１２  凹部
１３  車輪体
１４  タイヤ部材
１５  フランジ部
１６  溝部
１７  外輪
１８  内輪
２２  略円弧部
２３  突起
２６  突起体
２７  中空タイヤ
【手続補正２】
【補正対象書類名】図面
【補正対象項目名】図３
【補正方法】変更
【補正の内容】
【図３】
2004016690.tif 000001
【手続補正３】
【補正対象書類名】図面
【補正対象項目名】図４
【補正方法】変更
【補正の内容】
【図４】
2004016690.tif 000002
【手続補正４】
【補正対象書類名】図面
【補正対象項目名】図１３
【補正方法】変更
【補正の内容】
【図１３】
2004016690.tif 000003